(57)【特許請求の範囲】
【請求項１】
薪などの燃料を収容して燃焼可能な火床と、この火床を地面から浮上状態に支持する支持脚とから成る焚火台であって、前記火床は、本体枠に前板と後板と左板と右板とが夫々回動自在に枢着され、この前板と後板の回動先端部同志が、前記本体枠より下方位置で連結されることで燃料を収容可能な凹所が形成されていると共に、この凹所上に前記左板と前記右板の回動先端部が載置されることにより凹所の左右両端が塞がれて燃料収容部が形成されるように構成され、前記前板の回動先端部は、前記後板に設けられているスライドガイド部にスライド移動自在に連結されていて、前記左板と前記右板とを上方へ起動回動させてから前板の先端部を後板に対しスライド移動させて前板と後板を上方へ起動回動させると、この前板と後板とが前記本体枠に沿った偏平状態に重ねられ、この偏平に重ねられた前板と後板上に左板と右板を重ねることにより偏平折畳み状態とし得るように構成されており、前記支持脚は、前記火床に対し着脱自在に設けられていると共に、この支持脚に支持した火床の上方に、焼き網や五徳などの加熱調理用器具を支承可能な支承部が設けられていることを特徴とする焚火台。
【請求項２】
前記火床は、平面視方形枠状の前記本体枠と、この本体枠の前側枠部に回動自在に枢着される前記前板と、前記本体枠の後側枠部に回動自在に枢着される前記後板と、前記本体枠の左側枠部に回動自在に枢着される前記左板と、前記本体枠の右側枠部に回動自在に枢着される前記右板とを備え、この前板と後板の回動先端部同志が、前記本体枠より下方位置で連結されることで側面視Ｖ字状の前記凹所が形成されていると共に、前記左板と前記右板の回動先端部が前記凹所の形状に対応するＶ字状に形成されて、この左板と右板のＶ字状回動先端部が凹所上に載置されることにより凹所の左右両端が塞がれて前記燃料収容部が形成されるように構成されていることを特徴とする請求項１記載の焚火台。
【請求項３】
前記支持脚は、前記火床の左側を支持する左脚部と、前記火床の右側を支持する右脚部とを備え、この左脚部と右脚部の上部に、焼き網や五徳などの加熱調理用器具を架設状態に支承して前記火床の上方に配設可能な前記支承部が設けられていることを特徴とする請求項１，２のいずれか１項に記載の焚火台。
【請求項４】
前記後板に、この後板の板面に沿った長さを有するガイド長孔が設けられて、このガイド長孔が前記スライドガイド部として構成され、このガイド長孔に、前記前板の回動先端部に設けられている連結部材がスライド移動自在に連結されていることを特徴とする請求項１〜３のいずれか１項に記載の焚火台。
【請求項５】
前記後板の左右両端部に前記スライドガイド部が設けられ、このスライドガイド部より内側の後板上に、前記左板と前記右板の回動先端部が載置されて前記凹所の左右両端が塞がれるように構成されていることを特徴とする請求項１〜４のいずれか１項に記載の焚火台。
【発明の詳細な説明】
【技術分野】
【０００１】
本発明は、アウトドアレジャー等で使用される焚火台に関するものである。
【背景技術】
【０００２】
出願人は、この種の焚火台として、特許第２８７３５５８号（特許文献１）を取得している。
【０００３】
この特許文献１を簡単に説明すると、脚体の上部に下方に向かって凸状となる逆錐状凹型の支承凹部（火床）を有すると共に、この支承凹部は複数の錐面を囲み形成することで形成されており、この各錐面のうちの一面を成す支承板部の下部にこの支承板部の板面方向に突出する脚部が設けられて成る偏平状の脚部付支承板部が所定枚数設けられ、この支承板部により前記支承凹部が形成されるように隣り合う支承板部の側縁部同志が互いに支承凹部内側方向に回動自在に枢着連結され、隣り合う各支承板部を回動してこの支承板部を錐面とした前記逆錐状凹型の支承凹部が形成される際には、各支承板部の脚部が接地してこの支承凹部が保形された状態で支持されるように構成され、且つ互いに隣り合う支承板部同志を枢着した前記枢着部を介してその隣り合う支承板部同志を折り合せて偏平な二つ折り状態に折り畳み重合し得るように構成されている。
【先行技術文献】
【特許文献】
【０００４】
【特許文献１】特許第２８７３５５８号公報
【発明の概要】
【発明が解決しようとする課題】
【０００５】
本発明は、この種焚火台の実用性を更に追求したもので、火床を上記特許文献１よりもコンパクトな形態に折畳み可能であると共に、支持脚に焼き網や五徳などの加熱調理用器具を支承して調理用途にも使用可能となる極めて実用性に優れた焚火台を提供するものである。
【課題を解決するための手段】
【０００６】
添付図面を参照して本発明の要旨を説明する。
【０００７】
薪１Ａなどの燃料１を収容して燃焼可能な火床２と、この火床２を地面から浮上状態に支持する支持脚３とから成る焚火台Ａであって、前記火床２は、本体枠４に前板５と後板６と左板７と右板８とが夫々回動自在に枢着され、この前板５と後板６の回動先端部同志が、前記本体枠４より下方位置で連結されることで燃料１を収容可能な凹所９が形成されていると共に、この凹所９上に前記左板７と前記右板８の回動先端部が載置されることにより凹所９の左右両端が塞がれて燃料収容部10が形成されるように構成され、前記前板５の回動先端部は、前記後板６に設けられているスライドガイド部11にスライド移動自在に連結されていて、前記左板７と前記右板８とを上方へ起動回動させてから前板５の先端部を後板６に対しスライド移動させて前板５と後板６を上方へ起動回動させると、この前板５と後板６とが前記本体枠４に沿った偏平状態に重ねられ、この偏平に重ねられた前板５と後板６上に左板７と右板８を重ねることにより偏平折畳み状態とし得るように構成されており、前記支持脚３は、前記火床２に対し着脱自在に設けられていると共に、この支持脚３に支持した火床２の上方に、焼き網12Ａや五徳などの加熱調理用器具12を支承可能な支承部13が設けられていることを特徴とする焚火台に係るものである。
【０００８】
また、前記火床２は、平面視方形枠状の前記本体枠４と、この本体枠４の前側枠部14に回動自在に枢着される前記前板５と、前記本体枠４の後側枠部15に回動自在に枢着される前記後板６と、前記本体枠４の左側枠部16に回動自在に枢着される前記左板７と、前記本体枠４の右側枠部17に回動自在に枢着される前記右板８とを備え、この前板５と後板６の回動先端部同志が、前記本体枠４より下方位置で連結されることで側面視Ｖ字状の前記凹所９が形成されていると共に、前記左板７と前記右板８の回動先端部が前記凹所９の形状に対応するＶ字状に形成されて、この左板７と右板８のＶ字状回動先端部が凹所９上に載置されることにより凹所９の左右両端が塞がれて前記燃料収容部10が形成されるように構成されていることを特徴とする請求項１記載の焚火台に係るものである。
【０００９】
また、前記支持脚３は、前記火床２の左側を支持する左脚部18と、前記火床２の右側を支持する右脚部19とを備え、この左脚部18と右脚部19の上部に、焼き網12Ａや五徳などの加熱調理用器具12を架設状態に支承して前記火床２の上方に配設可能な前記支承部13が設けられていることを特徴とする請求項１，２のいずれか１項に記載の焚火台に係るものである。
【００１０】
また、前記後板６に、この後板６の板面に沿った長さを有するガイド長孔11が設けられて、このガイド長孔11が前記スライドガイド部11として構成され、このガイド長孔11に、前記前板５の回動先端部に設けられている連結部材20がスライド移動自在に連結されていることを特徴とする請求項１〜３のいずれか１項に記載の焚火台に係るものである。
【００１１】
また、前記後板６の左右両端部に前記スライドガイド部11が設けられ、このスライドガイド部11より内側の後板６上に、前記左板７と前記右板８の回動先端部が載置されて前記凹所９の左右両端が塞がれるように構成されていることを特徴とする請求項１〜４のいずれか１項に記載の焚火台に係るものである。
【発明の効果】
【００１２】
本発明は上述のように構成したから、焚火で暖を取りつつ加熱調理用器具を用いて加熱調理を行うこともでき、また、不使用時には、支持脚から取外した火床が、その前板と後板と左板と右板とが偏平に重ねられた非常にコンパクトな折畳み状態にできるので、収納スペースを取らず携帯性にも優れるなど、極めて実用性に優れた焚火台となる。
【００１３】
また、請求項２記載の発明においては、コンパクトな偏平状態に折畳まれる火床の構成を、簡易構成にして容易に設計実現可能となる一層実用性に優れた構成の焚火台となる。
【００１４】
また、請求項３記載の発明においては、火床の上方に焼き網や五徳などの加熱調理用器具を支承可能な支承部を備えた支持脚の構成を、簡易構成にして容易に設計実現可能となる一層実用性に優れた構成の焚火台となる。
【００１５】
また、請求項４記載の発明においては、前板と後板とが偏平に重ねられるスライドガイド部の構成を、簡易構成にして容易に設計実現可能となる一層実用性に優れた構成の焚火台となる。
【００１６】
また、請求項５記載の発明においては、燃料収容部で燃焼した燃料の灰や燃えカスが左板と右板に遮られてスライドガイド部に至ることがなく、従って前板と後板のスライド移動が阻害されることなく火床を容易且つ確実に折畳み可能となる一層実用性に優れた構成の焚火台となる。
【図面の簡単な説明】
【００１７】
【図１】本実施例の使用状態を示す斜視図である。
【図２】本実施例を示す分解斜視図である。
【図３】本実施例の火床を示す分解斜視図である。
【図４】本実施例の火床の折畳み手順を示す作動説明斜視図である。
【図５】本実施例の火床の、前板と後板のスライド移動による折畳み構造を示す作動説明側面図である。
【図６】本実施例の加熱調理使用状態を示す斜視図である。
【図７】本実施例の収納状態を示す斜視図である。
【発明を実施するための形態】
【００１８】
好適と考える本発明の実施形態を、図面に基づいて本発明の作用を示して簡単に説明する。
【００１９】
本発明の焚火台Ａは、支持脚３を地面に接地させると、この支持脚３に支持されている火床２が地面から浮上状態に配設されることとなり、この火床２の燃料収容部10に薪１Ａなどの燃料１を収容して燃焼させることで焚火を行うことが可能である。
【００２０】
また、この際、支持脚３に設けられている支承部13に、焼き網12Ａや五徳などの加熱調理用器具12を支承してこの加熱調理用器具12を支持脚３に支持した火床２の上方に配設すると、焚火で暖を取りつつ加熱調理用器具12を用いて加熱調理を行うこともできる。
【００２１】
また、本発明の火床２は、本体枠４に前板５と後板６と左板７と右板８とが夫々回動自在に枢着され、この前板５と後板６の回動先端部同志が、前記本体枠４より下方位置で連結されることで燃料１を収容可能な凹所９が形成されていると共に、この凹所９上に前記左板７と前記右板８の回動先端部が載置されることにより凹所９の左右両端が塞がれて燃料収容部10が形成されており、更に、前記前板５の回動先端部は、前記後板６に設けられているスライドガイド部11にスライド移動自在に連結されている。
【００２２】
そのため、不使用時には、支持脚３から取外した火床２を、前記左板７と前記右板８とを上方へ起動回動させてから前板５の先端部を後板６に対しスライド移動させて前板５と後板６を上方へ起動回動させると、この前板５と後板６とが前記本体枠４に沿った偏平状態に重ねられることになり、この偏平に重ねられた前板５と後板６上に更に左板７と右板８を重ねることによって偏平折畳み状態にできる。
【００２３】
即ち、本発明の火床２は、四枚の板材（前板５と後板６と左板７と右板８）が全て偏平に重ねられた非常にコンパクトな折畳み状態にできるので、上記特許文献１よりも収納スペースを取らず、携帯性にも優れる。
【実施例】
【００２４】
本発明の具体的な実施例について図面に基づいて説明する。
【００２５】
本実施例の焚火台Ａは、図１，図２に示すように、薪１Ａや炭などの燃料１を収容して燃焼可能な火床２と、この火床２を地面から浮上状態に支持する支持脚３とから構成されている。
【００２６】
本実施例の火床２は、図３に示すように平面視略方形枠状の本体枠４と、この本体枠４の前側枠部14に回動自在に枢着される前板５と、前記本体枠４の後側枠部15に回動自在に枢着される後板６と、前記本体枠４の左側枠部16に回動自在に枢着される左板７と、前記本体枠４の右側枠部17に回動自在に枢着される右板８とを備えている。
【００２７】
具体的には、本体枠４は、前後方向に間隔を置いて平行に配置される前後一対の同一長の金属製線材（前側枠部14と後側枠部15）と、この前後の線材の両端部間に架設状態に配置固定される左右一対の同一長の金属製線材（左側枠部16と右側枠部17）とで長方形枠状体に構成されている。
【００２８】
また、前側枠部14と後側枠部15を構成する線材は、左側枠部16と右側枠部17を構成する線材より長さのあるものが採用されている。即ち、本体枠４は、左右方向に長さのある平面視長方形枠状体に構成されている。
【００２９】
また、左側枠部16と右側枠部17は、夫々の中ほどが対向外側に向かって凸となる形状に折曲形成されていて、この凸状折曲部21が火床２を移動したりする際の取手21として機能するように構成されている。
【００３０】
前板５と後板６とは、互いに略同一形状であって、図３に示すような前記本体枠４と略同形状の平面視略長方形状の金属製板材で構成され、この前板５と後板６の一方の長手方向縁がカール形状（円筒状）に折曲加工されて、この円筒状端部22が前記前側枠部14と後側枠部15とに被嵌装着されることにより、前板５が前側枠部14を回動支点として回動自在となると共に、後板６が後側枠部15を回動支点として回動自在となるように構成されている。
【００３１】
左板７と右板８とは、互いに同一形状であって、図３に示すような平面視略三角形状の金属板材で構成され、この左板７と右板８の一辺がカール形状（円筒状）に折曲加工されて、この円筒状端部23が前記左側枠部16と右側枠部17とに被嵌装着されることにより、左板７が左側枠部16を回動支点として回動自在となると共に、右板８が右側枠部17を回動支点として回動自在となるように構成されている。
【００３２】
また、この左板７と右板８の円筒状端部23は、前記取手21を避けるようにして左板７と右板８の一辺の前後二箇所に設けられている。
【００３３】
本実施例では、この前板５と後板６の回動先端部同志が、前記本体枠４より下方位置で連結されることで側面視Ｖ字状の凹所９が形成されていると共に、前記左板７と前記右板８の回動先端部（下部）が、前記凹所９の形状に対応するＶ字形状に形成されていて、この左板７と右板８とがその下側程対向間隔が狭まる傾斜状態で凹所９上に配されると共に、この左板７と右板８のＶ字状回動先端部が凹所９上に載置されることにより、凹所９の左右両端が左板７と右板８に塞がれて、凹所９上に本体枠４の上方から燃料１を投入収容可能な燃料収容部10が形成されるように構成されている。
【００３４】
また、前記前板５の回動先端部は、前記後板６に設けられているスライドガイド部11にスライド移動自在に連結されている。
【００３５】
具体的には、後板６の左右両端部に、その回動先端部となる下側端部から前記円筒状端部23へ向かう途中位置までに前方（前板５の方）へ向かって短く突出するガイド片24が折曲形成されていると共に、このガイド片24に後板６の板面に沿った長さを有するガイド長孔11が貫通形成されていて、このガイド長孔11が前記スライドガイド部11として構成されている（後板６に、その回動先端部から途中部に至る後板６板面に沿った長さを有するガイド長孔11が設けられている。）。
【００３６】
一方、前板５の回動先端部となる下側端部には、この回動先端部がカール形状に折曲加工されることによりこの円筒状下端内に連結部材20としての連結軸20が装着されていると共に、この連結軸20の両端部が円筒状下端から左右外側に突出するようにして設けられている。
【００３７】
そして、この連結軸20の両端部が、左右のガイド長孔11に貫通された上でガイド長孔11より径大な円板状に形成されていることにより、連結軸20の両端部が左右のガイド長孔11から抜止状態となり且つガイド長孔11に沿って後板６の上面（前板５との対向内側面）上をスライド移動自在となるように構成されている。
【００３８】
即ち、前記左板７と前記右板８とを邪魔にならないように上方へ起動回動退避させておいてから前板５を上方へ起動回動させると、この前板５の先端部が後板６上をその前記円筒状端部22の方向へスライド移動（連結軸20がガイド長孔11に沿って後板６の円筒状端部22の方向へスライド移動）することとなり、これに伴い後板６も上方へ起動回動していき（図４（ｂ），図５（ｂ）参照）、やがて後板６上に前板５が重ねられてこの前板５と後板６とが前記本体枠４に沿った偏平状態となり、続いてこの偏平に重ねられた前板５と後板６上に、退避させていた左板７と右板８とを重ねることにより、本実施例の火床２は略本体枠４大の偏平折畳み状態とし得るように構成されている（図４（ｃ），図５（ｃ）参照）。
【００３９】
また、前記凹所９を構成するこの後板６上の左右の前記スライドガイド部11より内側に、前記左板７と前記右板８の回動先端部が載置されて前記燃料収容部10が形成されるように構成されており、これにより燃料収容部10で燃焼した燃料１の灰や燃えカスがスライドガイド部11に至って前板５と後板６のスライド移動を阻害することがない（火床２の折畳みに支障が出ない）ように構成されている。
【００４０】
本実施例の支持脚３は、前記火床２の左側（左側枠部16）を支持する左脚部18と、この左脚部18と間隔を置いて対設され前記火床２の右側（右側枠部17）を支持する右脚部19と、左右に対設するこの左脚部18と右脚部19の下部間に着脱自在に架設する遮熱板25とを備え、この左脚部18と右脚部19の上部に、焼き網12Ａや五徳や鉄板などの調理器具12を架設状態に支承して前記火床２の上方に配設可能な前記支承部13が設けられている。
【００４１】
具体的には、左脚部18と右脚部19とは互いに同一構造とされており、前記火床２の高さ寸法の二倍以上の高さ寸法を有する断面Ｌ字状の支柱26が前後に間隔を置いて配置されていると共に、この前後の支柱26の上部間と下部間に金属製線材で成る桟部材13・27が架設固定された縦長の方形枠状体に構成されている。
【００４２】
また、この左脚部18と右脚部19とは、前後の支柱26間の間隔が、前記左側枠部16及び右側枠部17の長さ寸法よりやや幅狭く設定されていると共に、この前後の支柱26には、中ほどよりやや上方位置に左側枠部16及び右側枠部17の両端部を掛脱自在に掛止可能な転Ｌ字状の切欠28で構成された掛止用凹部28が設けられている。
【００４３】
即ち、左脚部18の前後の掛止用凹部28に火床２の左側枠部16の両端部を掛止め、右脚部19の前後の掛止用凹部28に火床２の右側枠部17の両端部を掛止めることで、左脚部18と右脚部19とが対設状態となると共に、左脚部18と右脚部19との間に火床２が架設状態で地面より浮上状態に支持されるように構成されている。図中符号31は、左脚部18と右脚部19の掛止用凹部28に火床２の左側枠部16と右側枠部17の両端部を掛止めた際に前側枠部14と後側枠部15の両端部を避ける切欠である。
【００４４】
また、遮熱板25は、左右方向に長さを有すると共に、前記火床２の左右幅よりやや幅広な左右幅寸法を有する長方形状の金属製板で構成され、更に左右両端が下方へ垂下折曲されて、この左右両端の垂下折曲片が前記左脚部18及び前記右脚部19の下側の桟部材27に上方から掛止可能な掛止片29として構成されている。
【００４５】
そして、左脚部18と右脚部19との間に火床２を架設状態に支持すると共に、左脚部18と右脚部19の下側の桟部材27間に遮熱板25を上方から掛止めて火床２の下方に架設することにより、左脚部18と右脚部19とがハ字状に対設した状態で開き止め保持されて安定的に地面に載置可能な使用状態とし得るように構成されており、この使用状態では、支持脚３により火床２が地面より浮上状態となると共に、火床２と地面との間に遮熱板25が配されることにより、熱による悪影響を自然環境に与えることなく焚火を行うことができるように構成されている（図１参照）。
【００４６】
また、この際、左脚部18と右脚部19の上部の桟部材13が、この左右の桟部材13間に焼き網12Ａや五徳などの調理器具12（図面は焼き網12Ａを図示している。）を架設状態に支承して前記火床２の上方に配設可能となる前記支承部13として機能するように構成されている（図６参照）。
【００４７】
また、この支持脚３を構成する左脚部18と右脚部19と遮熱板25とは、偏平に折畳んだ前記火床２と略同じ大きさのものに構成され、更に本実施例の場合、焼き網12Ａもこれらと略同じ大きさのものが採用されていて、不使用時には、支持脚３から取外して折り畳んだ火床２と、左脚部18と、右脚部19と、遮熱板25と、焼き網12Ａとを重ねてポーチやケース等の収納具30に入れたコンパクトな収納形態で収納・携帯できるように構成されている。
【００４８】
尚、本発明は、本実施例に限られるものではなく、各構成要件の具体的構成は適宜設計し得るものである。
【符号の説明】
【００４９】
１  燃料
１Ａ  薪
２  火床
３  支持脚
４  本体枠
５  前板
６  後板
７  左板
８  右板
９  凹所
10  燃料収容部
11  スライドガイド部・ガイド長孔
12  加熱調理用器具
12Ａ  焼き網
13  支承部
14  前側枠部
15  後側枠部
16  左側枠部
17  右側枠部
18  左脚部
19  右脚部
20  連結部材
Ａ  焚火台
【図１】
0006967053.tif 000002
【図２】
0006967053.tif 000003
【図３】
0006967053.tif 000004
【図４】
0006967053.tif 000005
【図５】
0006967053.tif 000006
【図６】
0006967053.tif 000007
【図７】
0006967053.tif 000008